(57)【要約】【課題】  三板式液晶プロジェクタでは、液晶パネルに照射される光のエネルギーが色毎に異なるため、三枚の液晶パネル１７毎に温度に差が生じる場合がある。この温度差が現れると液晶分子の応答速度に差が生じ、動画表示時に輪郭部が尾を引いたように見える問題が発生していた。【解決手段】  三枚の液晶パネル１７の少なくとも一枚の温度、又は、三枚の液晶パネル１７の少なくとも一枚の周辺温度、又は、液晶プロジェクタの所定の場所の温度を検出し、その検出温度が所定の値に達した場合、その温度に応じて三枚の液晶パネル１７に供給する映像信号に加える補正量を、三枚の液晶パネル１７毎にそれぞれ変化させることで、先述の問題を解決することができる。【選択図】  図１
2005234104.tif 000002
【特許請求の範囲】
【請求項１】
複数の色毎に複数枚の液晶パネルに画像を表示し、これらの画像を合成して一つの画像を得る液晶表示装置に用いられる、前記液晶パネルの駆動装置において、
前記液晶パネル毎に、当該液晶パネルの温度を直接的又は間接的に検出する温度検出手段と、
前記液晶パネル毎に、前記温度検出手段で検出された温度に応じた補正量制御値と、前フレームに表示した映像信号と、現フレームに表示すべき映像信号との少なくとも三つの変数に基づき、現フレームに表示する補正後の映像信号を決定する補正手段と、
を備えたことを特徴とする液晶パネルの駆動装置。
【請求項２】
前記補正手段は、前フレームのディジタル化された映像信号を一方のアドレス値とし、現フレームのディジタル化された映像信号を他方のアドレス値とし、これらの両方のアドレス値で決定される位置に前記現フレームの補正後の映像信号を記録したルックアップテーブルを、前記補正量制御値のとり得る数だけ有する、
請求項１記載の液晶パネルの駆動装置。
【請求項３】
前記補正手段は、前フレームのディジタル化された映像信号を一方のアドレス値とし、現フレームのディジタル化された映像信号を他方のアドレス値とし、これらの両方のアドレス値で決定される位置に前記現フレームの補正後の映像信号を記録したルックアップテーブルを有し、このルックアップテーブルで得られた前記現フレームの補正後の映像信号を前記補正量制御値に応じて更に補正する、
請求項１記載の液晶パネルの駆動装置。
【請求項４】
信号源から一画面分の映像信号が供給されるフレーム期間内に、前記液晶パネルに一画面分の映像信号を複数回書き込む複数回書き込み手段を更に備え、
この複数回書き込み手段は、前記補正手段によって決定された前記現フレームの補正後の映像信号を、前記複数回のうちの少なくとも一回分書き込む、
請求項１記載の液晶パネルの駆動装置。
【請求項５】
前記補正手段は、前記複数回のうちの何回目であるかを四つ目の変数とし、これらの四つの変数に基づき、前記現フレームに表示する補正後の映像信号を決定する、
請求項４記載の液晶パネルの駆動装置。
【請求項６】
前記温度検出手段は、少なくとも一枚の前記液晶パネルの温度を検出し、
前記補正手段は、少なくとも一枚の前記液晶パネルについて、前記現フレームに表示する補正後の映像信号を決定する、
請求項１乃至５記載の液晶パネルの駆動装置。
【請求項７】
前記複数枚の液晶パネルは、赤色、緑色及び青色の各画像を表示する三枚からなる、
請求項１乃至６記載の液晶パネルの駆動装置。
【請求項８】
前記液晶表示装置が液晶プロジェクタである、
請求項１乃至７記載の液晶パネルの駆動装置。
【請求項９】
複数の色毎に複数枚の液晶パネルに画像を表示し、これらの画像を合成して一つの画像を得る液晶表示装置に用いられる、前記液晶パネルの駆動方法において、
前記液晶パネル毎に、当該液晶パネルの温度を直接的又は間接的に検出する温度検出ステップと、
前記液晶パネル毎に、前記温度検出ステップで検出された温度に応じた補正量制御値と、前フレームに表示した映像信号と、現フレームに表示すべき映像信号との少なくとも三つの変数に基づき、現フレームに表示する補正後の映像信号を決定する補正ステップと、
を備えたことを特徴とする液晶パネルの駆動方法。
【請求項１０】
前記補正ステップは、前フレームのディジタル化された映像信号を一方のアドレス値とし、現フレームのディジタル化された映像信号を他方のアドレス値とし、これらの両方のアドレス値で決定される位置に前記現フレームの補正後の映像信号を記録したルックアップテーブルを、前記補正量制御値のとり得る数だけ有する、
請求項９記載の液晶パネルの駆動方法。
【請求項１１】
前記補正ステップは、前フレームのディジタル化された映像信号を一方のアドレス値とし、現フレームのディジタル化された映像信号を他方のアドレス値とし、これらの両方のアドレス値で決定される位置に前記現フレームの補正後の映像信号を記録したルックアップテーブルを有し、このルックアップテーブルで得られた前記現フレームの補正後の映像信号を前記補正量制御値に応じて更に補正する、
請求項９記載の液晶パネルの駆動方法。
【請求項１２】
信号源から一画面分の映像信号が供給されるフレーム期間内に、前記液晶パネルに一画面分の映像信号を複数回書き込む複数回書き込みステップを更に備え、
この複数回書き込みステップは、前記補正手段によって決定された前記現フレームの補正後の映像信号を、前記複数回のうちの少なくとも一回分書き込む、
請求項９記載の液晶パネルの駆動方法。
【請求項１３】
前記補正ステップは、前記複数回のうちの何回目であるかを四つ目の変数とし、これらの四つの変数に基づき、前記現フレームに表示する補正後の映像信号を決定する、
請求項１２記載の液晶パネルの駆動方法。
【請求項１４】
前記温度検出ステップは、少なくとも一枚の前記液晶パネルの温度を検出し、
前記補正ステップは、少なくとも一枚の前記液晶パネルについて、前記現フレームに表示する補正後の映像信号を決定する、
請求項９乃至１３記載の液晶パネルの駆動方法。
【請求項１５】
前記複数枚の液晶パネルは、赤色、緑色及び青色の各画像を表示する三枚からなる、
請求項９乃至１４記載の液晶パネルの駆動方法。
【請求項１６】
前記液晶表示装置が液晶プロジェクタである、
請求項９乃至１５記載の液晶パネルの駆動方法。
【請求項１７】
請求項１乃至８のいずれかに記載の液晶パネルの駆動装置と、この駆動装置によって駆動され赤色、緑色及び青色の各画像を表示する三枚の液晶パネルと、これらの液晶パネルに表示された画像を合成して一つの画像としてスクリーンに投射する光学系と、
を備えた液晶プロジェクタ。
【発明の詳細な説明】
【技術分野】
【０００１】
本発明は、液晶プロジェクタ等の液晶表示装置に用いられる液晶パネルの駆動装置及び駆動方法に関する。
【背景技術】
【０００２】
三板式液晶プロジェクタは、Ｒ，Ｇ，Ｂの三原色に分離した光をそれぞれ三枚の液晶パネルに照射するとともに、各液晶パネルに各色に対応した映像を表示し、その透過光をプリズムによって合成してスクリーンに投射することによりカラー画像を得るものであり、明るくかつ高コントラストの表示が可能である。また、近年の製造プロセスの微細化の進歩と小型化及び高精細化の要望とによって、三板式液晶プロジェクタに用いられる液晶パネルは、対角１インチを下回る表示エリアに、横１０２４画素かつ縦７６８画素以上の解像度を有するようになってきた。
【０００３】
図１０は、三板式液晶プロジェクタの原理を説明するための構成図である。以下、この図面に基づき説明する。
【０００４】
液晶プロジェクタ７０は、光源ランプ７１、色分離ミラー７２，７３、ミラー７４〜７６、液晶パネル７７Ｒ，７７Ｇ，７７Ｂ、合成プリズム７８、投射レンズ７９等を備えている。光源ランプ７１から出射された光は、色分離ミラー７２，７３によりＲ，Ｇ，Ｂの三原色に分けられ、ミラー７４〜７６を経て入射側偏光板（図示せず）を透過した後に液晶パネル７７Ｒ，７７Ｇ，７７Ｂに照射される。液晶パネル７７Ｒ，７７Ｇ，７７Ｂを透過した光は、出射側偏光板（図示せず）を透過した後に合成プリズム７８でカラー画像に合成され、投射レンズ７９を通してスクリーン（図示せず）に拡大表示される。
【０００５】
液晶パネル７７Ｒ，７７Ｇ，７７Ｂは、ｐｏｌｙ−ＳｉＴＦＴ（ポリシリコン薄膜トランジスタ）プロセスで製造される駆動装置一体型の液晶パネルが用いられる。その第一の理由は、ｐｏｌｙ−ＳｉＴＦＴはａ−ＳｉＴＦＴに比較して大きなオン電流が得られることから、画素ＴＦＴを小型化できるからである。そして、第二の理由は、液晶パネルを駆動する回路の一部をｐｏｌｙ−ＳｉＴＦＴで構成することにより、液晶プロジェクタの大きさを劇的に小さくすることができるからである。
【０００６】
図１１は、液晶プロジェクタに用いられる液晶パネルの構成図である。図１２は、液晶パネルにおける印加電圧と液晶容量との関係の一例を示すグラフである。以下、これらの図面に基づき説明する。
【０００７】
この液晶パネル８０は、液晶プロジェクタで最も一般的に用いられているアナログ入力方式による駆動回路一体型である。また、液晶パネル８０は、縦横に配置されたデータ線Ｄ１〜Ｄｎとゲート線Ｇ１〜Ｇｍとの各交点に画素９０をマトリクス状に配置した画素マトリクス８１と、データ線Ｄ１〜Ｄｎを駆動するデータドライバ回路８２と、ゲート線Ｇ１〜Ｇｍを駆動するゲートドライバ回路８３とによって構成される。画素９０は、画素ＴＦＴ９１、画素容量Ｃｌｃ及び蓄積容量Ｃｓｔからなる。データドライバ回路８２は、外部から供給される複数のアナログビデオ信号Ｓ１〜Ｓ６を一定数同時に複数本でサンプリングし、アナログビデオ信号ＳＰ１〜ＳＰｉとしてデータ線Ｄ１〜Ｄｎへ出力する。
【０００８】
次に、液晶パネル８０の動作を簡単に説明する。まず、ゲートドライバ回路８３により一本のゲート線Ｇｙが選択され、同時にデータドライバ回路８２により全てのデータ線Ｄ１〜Ｄｎにアナログビデオ信号ＳＰ１〜ＳＰｉが書き込まれる。その後、選択されていたゲート線Ｇｙが非アクティブの状態に変わると、データ線Ｄ１〜Ｄｎに書き込まれていたアナログビデオ信号ＳＰ１〜ＳＰｉが画素ＴＦＴ９１を通して各画素９０にサンプリングされ、液晶パネル８０に一行分の映像が書き込まれる。この動作を全てのゲート線Ｇ１〜Ｇｍに対して行うことにより、一画面の映像を書き込むことができる。
【０００９】
一方、液晶パネル８０の応答速度を改善する技術として、オーバードライブ補正がある。オーバードライブ補正とは、液晶パネル８０に用いられている液晶分子の応答速度を、信号電圧に補正を加えることで制御する補正方法である。その原理について簡単に説明する。
【００１０】
画素９０に画像を表示させる場合、データ線Ｄｘに供給された映像信号が画素ＴＦＴ９１を通して液晶容量Ｃｌｃと蓄積容量Ｃｓｔとに書き込まれる。この書き込みに用いられる時間は、ＸＧＡ（１０２４×７６８画素）の液晶パネルで、画面一フレーム分を表示するフレーム期間の１０００分の１程度と短い。この書き込み時間に対し透過型液晶パネルで一般的に用いられているＴＮ液晶の応答速度は、フレーム期間と同程度かそれ以上に達する。したがって、画素９０の表示が切り替わる場合、新たな映像信号電圧が画素９０に書き込まれ画素ＴＦＴ９１が保持動作に切り替わった後に、液晶分子の配向状態が変化することになる。
【００１１】
任意の電圧Ｖを定常的に印加した際の液晶容量Ｃｌｃは、液晶分子の配向変化が終了した状態において、印加電圧Ｖの関数としてＣｌｃ(V)と表すことができる。この印加電圧Ｖと液晶容量Ｃｌｃとの関係の一例を図１２に示す。ここで、画素９０の表示を電圧Ｖ０の状態から電圧Ｖ１の状態に変化させる場合、一般的な駆動方法を使って液晶容量Ｃｌｃ及び蓄積容量Ｃｓｔに保持させる電荷量Ｑは次式のように表される。
【００１２】
Ｑ＝Ｖ１（Ｃｌｃ(V0)＋Ｃｓｔ）  ・・・（１）
しかしながら、目的の電圧Ｖ１に対応した配向状態に画素９０が安定した場合に実際に必要とされる電荷量Ｑ’は、次式のようになる。そのため、ＱとＱ’の差分による電圧変動が液晶分子の応答速度を制限することになる。
【００１３】
Ｑ’＝Ｖ１（Ｃｌｃ(V1)＋Ｃｓｔ）  ・・・（２）
オーバードライブ補正とは、この差分を補償するように印加電圧Ｖに補正を加える駆動方法である。一例として画素９０を初期状態Ｖ０からＶ１へ変化させる場合の補正電圧Ｖ１’の算出方法を記述すると、次式のようになる。
【００１４】
Ｖ１’＝（Ｃｌｃ(V1)＋Ｃｓｔ）／（Ｃｌｃ(V0)＋Ｃｓｔ）×Ｖ１  ・・・（３）
この式（３）及び図１２から、例えば、Ｖ１＞Ｖ０であればＶ１’＞Ｖ１となり、逆にＶ１＜Ｖ０であればＶ１’＜Ｖ１になる。式（３）による演算は、液晶容量Ｃｌｃの電圧依存性を事前に算出又は測定により求め、そのテーブルを作成しておくことにより実現できる。具体的には、前に表示した映像信号Ｖ０と次に表示する映像信号Ｖ１とを入力値とし、補正後の映像信号を出力値とするＬＵＴ（ルックアップテーブル）を作成することで実現できる。これ以外にも、式（３）で示した演算をハードウエア的又はソフトウエア的に行ってもよい。
【００１５】
ところで、液晶プロジェクタで更に明るい投射画像を得るためには、極めて強い光を小さな液晶パネルに照射しなければならない。そのため、光照射に伴い液晶パネルが発熱し、以下に述べるような問題が生ずる。
【００１６】
その一つは、液晶パネルの温度上昇による液晶の相転移である。三板式液晶プロジェクタで用いられる液晶パネルの多くは透過型のＴＮ液晶であり、そこで用いられるネマチック液晶のＮ−Ｉ転移点（ネマチック相−等方相の相転移点）は１００℃程度である。液晶が等方相に転移してしまった場合は、全く表示が行えなくなる。また、相転移点以下の高い温度でも、光学特性を決定付ける屈折率異方性が大幅に変化するので、透過率の減少やコントラストの低下という問題が生ずる。この問題に対しては、冷却用ファンを用いて液晶パネルの温度を下げることで対応している。
【００１７】
別の問題として、液晶の応答速度の温度依存性がある。液晶の応答速度は、駆動電圧や、液晶材料の弾性定数及び粘性などによって決定される。そして定性的に言えば、温度が高いほど応答が速くなり、温度が低いほど応答が遅くなる。この問題に対して、特許文献１には、前述のオーバードライブ補正を行う際に液晶パネルの周辺温度も考慮して、映像信号のフレームレートを変化させる技術が開示されている。
【００１８】
【特許文献１】特開２００２−１０８２９４号公報（図３等）
【発明の開示】
【発明が解決しようとする課題】
【００１９】
液晶プロジェクタでは、適正なホワイトバランスを得るために、Ｒ、Ｇ、Ｂ三原色に対応した三枚の液晶パネルに照射する光量がそれぞれ異なったものとなる。そのため、液晶パネル間で、光照射による温度上昇に差が生じる。光照射による温度上昇は、照射される光のエネルギに依存する。例えば、投射照度２０００ｌｍ程度の液晶プロジェクタにおいて、液晶パネルに照射される光エネルギは、Ｒ、Ｇ、Ｂ各色それぞれ、１３００ｍＷ／ｃｍ２、２０００ｍＷ／ｃｍ２、１８００ｍＷ／ｃｍ２程度である。そのため、Ｇ光用及びＢ光用の液晶パネルは温度が高くなるので液晶が高速に応答し、Ｒ光用の液晶パネルは温度が最も低くなるので応答速度が遅くなる。この結果として、液晶プロジェクタで動きの早い動画を表示すると、各色に対応する液晶パネルの応答速度の不均一性のため、輪郭部に色の異なるにじみが尾を引く現象が現れる。
【００２０】
また、特許文献１では、温度変化による液晶パネルの応答速度の変化を、液晶パネルに供給する映像信号のフレームレートを変換して調整するときに、ＲＧＢ全ての色信号に対して同一の応答速度補正を施していた。そのため、三原色に対して三枚の液晶パネルを用いる三板式液晶プロジェクタでは、個々の液晶パネルの応答速度に差が出る問題を解決できない。
【００２１】
そこで、本発明の目的は、三板式液晶プロジェクタに用いられるＲ、Ｇ、Ｂ各色用の三枚の液晶パネルに、異なるエネルギの光が照射されることで個々の液晶パネルに温度差が生じた場合でも、各液晶パネルの応答速度を均一化することにより動画表示時の画質を改善することにある。
【課題を解決するための手段】
【００２２】
本発明に係る駆動装置（請求項１）は、複数の色毎に複数枚の液晶パネルに画像を表示し、これらの画像を合成して一つの画像を得る液晶表示装置に用いられる、液晶パネルの駆動装置であり、温度検出手段と補正手段とを備えている。温度検出手段は、液晶パネル毎に、液晶パネルの温度を直接的又は間接的に検出する。補正手段は、液晶パネル毎に、温度検出手段で検出された温度に応じた補正量制御値と、前フレームに表示した映像信号と、現フレームに表示すべき映像信号との少なくとも三つの変数に基づき、現フレームに表示する補正後の映像信号を決定する。
【００２３】
適正なホワイトバランスを得ようとすると、結果的に、複数枚の液晶パネルにそれぞれ異なるエネルギの光を照射しなければならなくなる。そのため、液晶パネル間で、温度差が生じ、これに起因して応答速度差が生じる。そこで、液晶パネル毎に温度を検出し、その温度のデータも使用して、液晶パネル毎に映像信号にオーバードライブ補正を施す。これにより、各液晶パネルの応答速度が均一化されるので、動画表示時の画質が改善される。
【００２４】
請求項２記載の駆動装置は、請求項１記載の駆動装置において補正手段が次の構成を有する。補正手段は、前フレームのディジタル化された映像信号を一方のアドレス値とし、現フレームのディジタル化された映像信号を他方のアドレス値とし、これらの両方のアドレス値で決定される位置に現フレームの補正後の映像信号を記録したルックアップテーブルを、補正量制御値のとり得る数だけ有する。
【００２５】
例えば、補正量制御値が１から１００までの整数で表されるとき、補正量制御値のとり得る数は１００個である。このとき、補正手段は、例えば縦軸を前フレーム映像信号とし、横軸を現フレーム映像信号とするルックアップテーブルを、補正量制御値に応じた１００個分有する。したがって、三つの変数を入力すれば、ルックアップテーブルによって、現フレームに表示する補正後の映像信号を瞬時に決定することができる。
【００２６】
請求項３記載の駆動装置は、請求項１記載の駆動装置において補正手段が次の構成を有する。補正手段は、前フレームのディジタル化された映像信号を一方のアドレス値とし、現フレームのディジタル化された映像信号を他方のアドレス値とし、これらの両方のアドレス値で決定される位置に現フレームの補正後の映像信号を記録したルックアップテーブルを有し、このルックアップテーブルで得られた現フレームの補正後の映像信号を補正量制御値に応じて更に補正する。
【００２７】
補正手段は、例えば縦軸を前フレーム映像信号とし、横軸を現フレーム映像信号とするルックアップテーブルを一つ有する。そのため、これらの二つの変数を入力すれば、ルックアップテーブルによって、現フレームの補正後の映像信号（初期値）が得られる。続いて、この初期値と補正量制御値とを演算式に代入することによって、現フレームに表示する補正後の映像信号（最終値）を決定することができる。本発明では、ルックアップテーブルに要するメモリ容量が少なくて済む。
【００２８】
請求項４記載の駆動装置は、請求項１記載の駆動装置において、信号源から一画面分の映像信号が供給されるフレーム期間内に、液晶パネルに一画面分の映像信号を複数回書き込む複数回書き込み手段を更に備えている。この複数回書き込み手段は、補正手段によって決定された現フレームの補正後の映像信号を、複数回のうちの少なくとも一回分書き込む。
【００２９】
例えば、複数回が二回であるとき、一回目は補正後の現フレームの映像信号を書き込み、二回目は補正前の現フレームの映像信号を書き込む。本発明では、単位時間内で液晶画素に電荷を供給する回数が増えるため、液晶分子の配列変化に対する電圧変動をより小さくすることができ、応答速度の改善効果を高くすることができる。
【００３０】
請求項５記載の駆動装置は、請求項４記載の駆動装置において、補正手段が次の機能を有する。補正手段は、複数回のうちの何回目であるかを四つ目の変数とし、これらの変数に基づき、現フレームに表示する補正後の映像信号を決定する。
【００３１】
つまり、複数回のうちの何回目であるかによって、現フレームに表示する補正後の映像信号を変える。例えば、複数回が二回であるとき、一回目は通常よりも大きめに補正した現フレームの映像信号を書き込み、二回目は通常よりも小さ目に補正した現フレームの映像信号を書き込む。このとき、一回目で液晶画素の電圧変化をより大きくし、二回目でそれを収束させることにより、より応答速度を高めることができる。その理由は、液晶分子の応答速度は電圧が大きいほど速くなるからである。
【００３２】
請求項６の駆動装置は、請求項１〜５記載の駆動装置において、温度検出手段は、少なくとも一枚の液晶パネルの温度を検出し、補正手段は、少なくとも一枚の液晶パネルについて、現フレームに表示する補正後の映像信号を決定する、というものである。このように、必ずしも全ての液晶パネルに対して、温度を検出して映像信号を補正する必要はない。また、複数枚の液晶パネルは赤色、緑色及び青色の各画像を表示する三枚からなるとしてもよく（請求項７）、液晶表示装置が液晶プロジェクタであるとしてもよい（請求項８）。
【００３３】
本発明に係る駆動方法（請求項９〜１６）は、本発明に係る駆動装置（請求項１〜８）の動作を方法として表現したものである。
【００３４】
本発明に係る液晶プロジェクタ（請求項１７）は、本発明に係る駆動装置と、この駆動装置によって駆動され赤色、緑色及び青色の各画像を表示する三枚の液晶パネルと、これらの液晶パネルに表示された画像を合成して一つの画像としてスクリーンに投射する光学系と、を備えたものである。この液晶プロジェクタは、フロントタイプとしてもリアタイプとしてもよい。
【００３５】
また、本発明は、次のように言い換えることができる。
【００３６】
Ｒ光用、Ｂ光用、Ｇ光用三枚の液晶パネルを有する液晶表示装置において、三枚の液晶パネルの少なくとも一枚の液晶パネルの温度、又は、三枚の液晶パネルの少なくとも一枚の液晶パネルの周辺温度、又は、液晶表示装置の所定の場所の温度を検出する手段と、検出された温度に応じて三枚の液晶パネルに供給する映像信号に加える補正量を、液晶パネル毎にそれぞれ変化させる補正手段と、を有することを特徴とする液晶表示装置。
【００３７】
Ｒ光用、Ｂ光用、Ｇ光用三枚の液晶パネルを有する液晶表示装置において、三枚の液晶パネルの少なくとも一枚の液晶パネルの温度、又は、三枚の液晶パネルの少なくとも一枚の液晶パネルの周辺温度、又は、液晶表示装置の所定の場所の温度を検出する手段と、検出された温度に応じてＲ光用液晶パネルに供給する映像信号に加える補正量を変化させる補正手段と、を有することを特徴とする液晶表示装置。
【００３８】
前フレームに表示した映像信号と、現フレームに表示すべき映像信号と、補正量を制御する値の三つの変数により、現フレームに表示する補正後の信号が決定される補正手段を有することを特徴とする前述の液晶表示装置。
【００３９】
少なくともＲ、Ｇ、Ｂ三原色の一フレーム分の映像信号を保持するメモリ手段と、メモリ手段に保持された前フレームのディジタル化された映像信号と現フレームのディジタル化された映像信号とをアドレス値とし、これらのアドレス値で決定される位置に現フレームの映像信号の補正後の値を記録したルックアップテーブルを、補正量を制御する信号の分解能の数だけ設けた補正手段を有する前述の液晶表示装置。
【００４０】
液晶表示装置に外部から一画面分の映像信号が供給されるフレーム期間内に、液晶パネルに二回以上一画面分の映像信号を書き込む手段、を有する前述の液晶表示装置。
【００４１】
液晶表示装置に外部から一画面分の映像信号が供給されるフレーム期間内に液晶パネルに二回以上一画面分の映像信号を書き込む手段を有し、一回目に液晶パネルに書き込まれる映像信号に対して施される補正処理の補正量と、それ以降に書き込まれる映像信号に施される補正処理の補正量とが異なる補正処理を行う手段を有することを特徴とする前述の液晶表示装置。
【００４２】
Ｒ光用、Ｂ光用、Ｇ光用の三枚の液晶パネルを有する液晶表示装置において、三枚の液晶パネルの少なくとも一枚の液晶パネルの温度、又は、三枚の液晶パネルの少なくとも一枚の液晶パネルの周辺温度、又は、液晶表示装置の所定の場所の温度を検出し、検出された温度に応じて三枚の液晶パネルに供給する映像信号に加える補正量を、液晶パネル毎にそれぞれ変化させることを特徴とする駆動方法。
【００４３】
Ｒ光用、Ｂ光用、Ｇ光用の三枚の液晶パネルを有する液晶表示装置において、三枚の液晶パネルの少なくとも一枚の液晶パネルの温度、又は、三枚の液晶パネルの少なくとも一枚の液晶パネルの周辺温度、又は、液晶表示装置の所定の場所の温度を検出し、検出された温度に応じてＲ光用の液晶パネルに供給する映像信号に加える補正量を変化させることを特徴とする駆動方法。
【００４４】
映像信号に加える補正方法が、前フレームに表示した映像信号と、現フレームに表示すべき映像信号と、補正量を制御する値との三つの変数により、現フレームに表示する補正後の信号が決定されることを特徴とする前述の駆動方法。
【００４５】
少なくともＲ、Ｇ、Ｂ三原色の一フレーム分の映像信号を保持するメモリ手段と、メモリ手段に保持された前フレームのディジタル化された映像信号と現フレームのディジタル化された映像信号とをアドレス値とし、これらのアドレス値で決定される位置に現フレームの映像信号の補正後の値を記録したルックアップテーブルを、補正量を制御する値の分解能の数だけ複数設け、補正量を変化させる際に、補正に用いる複数のルックアップテーブルを切り替えることで実現する前述の駆動方法。
【００４６】
液晶表示装置に外部から一画面分の映像信号が供給されるフレーム期間内に、液晶パネルに二回以上一画面分の映像信号を書き込むことを特徴とする前述の駆動方法。
【００４７】
液晶表示装置に外部から一画面分の映像信号が供給されるフレーム期間内に、液晶パネルに二回以上一画面分の映像信号を書き込む動作を行い、一回目に液晶パネルに書き込まれる映像信号に対して施される補正処理の補正量と、それ以降に書き込まれる映像信号に施される補正処理の補正量とが異なることを特徴とする前述の液晶駆動方法。
【００４８】
Ｒ光用、Ｂ光用、Ｇ光用の三枚の液晶パネルを有する液晶表示装置において、前述の駆動方法を用いることを特徴とする液晶プロジェクタ及びその駆動方法。
【発明の効果】
【００４９】
本発明によれば、液晶パネル毎に温度を検出し、検出温度に応じた補正量制御値、前フレームに表示した映像信号及び現フレームに表示すべき映像信号に基づき、現フレームに表示する補正後の映像信号を液晶パネル毎に決定することにより、液晶パネル間で温度差が生じても、各液晶パネルの応答速度を均一化できるので、動画表示等の画質を向上できる。また、本発明によれば、請求項毎に「課題を解決するための手段」で述べた効果を奏する。
【００５０】
更に、本発明の効果は、次のように言い換えることができる。
【００５１】
第一の効果は、三枚の液晶パネルの応答速度不均一性に起因する、動画表示時のいわゆる「画像の尾引き」などの問題を解決できることである。その理由は、Ｒ、Ｇ、Ｂそれぞれの液晶パネルに照射される光エネルギが異なるため、液晶パネルを冷却する装置でその差を補償することができずに、それぞれの液晶パネルが異なる温度になった場合でも、それら液晶パネルの温度を検出することにより各液晶パネルの応答速度を推測し、その応答速度差を補償するようにＲ、Ｇ、Ｂそれぞれの液晶パネルに供給される映像信号に、異なる量の補正を加えることで応答速度を均一化できるからである。
【００５２】
第二の効果は、液晶プロジェクタの開発コストを低く抑えられることである。その理由は、本発明では、液晶プロジェクタ内の三枚の液晶パネルの温度変化を測定し、そのデータに基づき信号補正量を制御することにより応答速度の均一化を実現するため、液晶プロジェクタの冷却系を設計する時点で、三枚の液晶パネルの温度差を厳密に均一化する必要がないためである。これにより、冷却系の設計を容易にすることが可能となり、結果として開発コストを低く抑えることができるのである。
【００５３】
第三の効果は、液晶プロジェクタの小型化が実現できることである。その理由は、本発明によれば、三枚の液晶パネルの温度を厳密に均一化する必要がないため冷却系を簡素化でき、結果として液晶プロジェクタの筐体を小型化できるからである。
【発明を実施するための最良の形態】
【００５４】
次に、本発明に係る駆動装置の実施形態について、図面を参照して詳細に説明する。なお、本発明に係る駆動方法は、本発明に係る駆動装置の動作に相当する。
【００５５】
図１は、本発明に係る駆動装置の第一実施形態を示すブロック図である。以下、この図面に基づき説明する。
【００５６】
本実施形態の駆動装置１０は、メモリブロック１１、温度検出ブロック１２、補正量制御ブロック１３、補正回路ブロック１４、パネル制御ブロック１５等から構成される電子回路であり、三板式液晶プロジェクタに用いられる。メモリブロック１１は、信号源１６から供給されるＲ，Ｇ，Ｂ各色の映像信号を、少なくとも一フレーム期間保持する。温度検出ブロック１２は、液晶パネル１７の温度又はその周辺の温度を検出する。補正量制御ブロック１３は、映像信号に施す補正量を制御する。補正回路ブロック１４は、メモリブロック１１に保持された前フレームの映像信号と、現フレームの映像信号と、補正量制御ブロック１３からの入力値（補正量）とに基づき、液晶パネル１７に供給する映像信号に補正演算を施す。パネル制御ブロック１５は、液晶パネル１７を制御する。
【００５７】
Ｒ，Ｇ，Ｂ各色の映像信号に対応して、メモリブロック１１はフレームメモリ１１Ｒ，１１Ｇ，１１Ｂからなり、補正回路ブロック１４は補正演算部１４Ｒ，１４Ｇ，１４Ｂからなり、液晶パネル１７はパネル１７Ｒ，１７Ｇ，１７Ｂからなる。また、図示しないが、駆動装置１０は、システム全体を制御する制御回路ブロック、各種電圧を生成する電源ブロック等を備える他、必要に応じＡＤＣ（アナログ−ディジタル−コンバータ）等も備える。このＡＤＣは、信号源１６から出力される映像信号がアナログ信号であり、かつ補正処理をディジタル回路で構成する場合に、そのアナログ信号をディジタル信号へ変換するものである。
【００５８】
次に、駆動装置１０の動作について説明する。まず、信号源１６から供給された映像信号は、補正回路ブロック１４及びメモリブロック１１へ供給される。メモリブロック１１は、新たに信号源１６から供給された現フレームの映像信号を保持する前に、既に保持されている前フレームの映像信号を読み出して補正回路ブロック１４へ供給する。温度検出ブロック１２は、ある一定期間毎にパネル１７Ｒ，１７Ｇ，１７Ｂ又はその周辺の温度を検出し、その結果を補正量制御ブロック１３へ転送する。補正量制御ブロック１３は、温度検出ブロック１２からの温度検出信号に基づき、映像信号に対して行う補正量を制御する信号をパネル１７Ｒ，１７Ｇ，１７Ｂ毎に算出し、その結果を補正回路ブロック１４へ供給する。パネル制御ブロック１５は、信号源１６からの同期信号を受け、液晶パネル１７を動作させる制御パルスを生成する。
【００５９】
なお、特許請求の範囲における「温度検出手段」は温度検出ブロック１２に相当し、同じく「補正手段」はメモリブロック１１、補正量制御ブロック１３及び補正回路ブロック１４に相当する。
【００６０】
図２は、図１における補正演算部を示すブロック図である。以下、図１及び図２に基づき説明する。
【００６１】
補正演算部１４Ｒ，１４Ｇ，１４Ｂは、ＶＴ補正回路１４０，１４１、オーバードライブ補正回路１４２、相展開回路１４３、ＤＡＣ（ディジタル−アナログ−コンバータ）１４４〜１４９等から構成されている。図中、信号の経路として、ＶＴ補正回路１４０，１４１→オーバードライブ補正回路１４２→相展開回路１４３→ＤＡＣ１４４〜１４９の順に結線されているが、ＶＴ補正回路１４０，１４１、オーバードライブ補正回路１４２及び相展開回路１４３の結線順は任意でよい。例えば、回路の動作速度を下げたい場合は相展開回路１４３を初段にすることが望ましく、また回路の規模を小さくしたい場合は相展開回路１４３を最終段に配置することが望ましい。Ｄ−Ａ変換は、ＶＴ補正、オーバードライブ補正等をディジタル処理した場合に、そのディジタル信号を液晶パネル１７に入力可能なアナログ信号へ変換するために必要となる処理であり、これらの処理を全てアナログ回路で実現する場合には必要ない。
【００６２】
次に、補正演算部１４Ｒ，１４Ｇ，１４Ｂの動作について説明する。まず、ＶＴ補正回路１４０，１４１は、入力した前フレームの映像信号Ｖ０及び現フレームの映像信号Ｖ１に対しＶＴ補正を行い、それらの結果をオーバードライブ補正回路１４２へ出力する。ＶＴ（電圧−透過率）補正とは、液晶パネル１７へ出力する信号電圧に対する透過光量の非線形性を補正することであり、通常、その特性が書き込まれたＬＵＴ（ルックアップテーブル）を参照することで行われる。オーバードライブ補正回路１４２は、ＶＴ補正回路１４０，１４１からの出力信号と補正量制御ブロック１３からの出力信号とに基づき、Ｒ，Ｇ，Ｂそれぞれの信号に対し独立した補正量のオーバードライブ補正を行う。オーバードライブ補正は、前回表示した映像信号Ｖ０、今回表示する映像信号Ｖ１、及び補正量を制御する制御信号Ａに基づき、補正後の映像信号Ｖを出力する演算処理である。その後、相展開回路１４３は、液晶パネル１７へ出力するアナログ信号の数だけ、補正後の映像信号Ｖを相展開する。相展開とは、液晶パネル１７へ出力するアナログ信号の数だけ、映像信号Ｖを並列展開する処理である。最後に、ＤＡＣ１４４〜１４９は、相展開された映像信号ＶをＤ−Ａ（ディジタル−アナログ）変換し、これを液晶パネル１７へ供給する。
【００６３】
図３は、本発明に係る駆動装置の第二実施形態を示すブロック図である。以下、この図面に基づき説明する。ただし、図１と同じ部分は同じ符号を付すことにより説明を省略する。
【００６４】
本実施形態の駆動装置２０は、メモリブロック２１、温度検出ブロック２２、補正量制御ブロック２３、補正回路ブロック２４、演算ブロック２５、パネル制御ブロック１５等から構成される電子回路であり、三板式液晶プロジェクタに用いられる。メモリブロック２１は、信号源１６から供給されるＲ色の映像信号を、少なくとも一フレーム期間保持する。温度検出ブロック２２は、パネル１７Ｒの温度又はその周辺の温度を検出する。補正量制御ブロック２３は、映像信号に施す補正量を制御する。補正回路ブロック２４は、メモリブロック２１に保持された前フレームの映像信号と、現フレームの映像信号と、補正量制御ブロック２３からの入力値（補正量）とに基づき、パネル１７Ｇ，１７Ｂに供給される映像信号に補正演算を施す。演算ブロック２５は、現フレームの映像信号に基づき、パネル１７Ｒに供給する映像信号を補正することなく演算する。パネル制御ブロック１５は、液晶パネル１７を制御する。
【００６５】
Ｒ色の映像信号のみに対応して、メモリブロック２１はフレームメモリ２１Ｒのみからなり、補正回路ブロック２４は補正演算部２４Ｒのみからなる。その他の構成は、第一実施形態と同様である。本実施形態では、パネル１７Ｒのみについて温度を検出し、この温度を含めてパネル１７Ｒの映像信号を補正することにより、構成を簡素化している。一般的な液晶プロジェクタでは、パネル１７Ｇ，１７Ｂに比べてパネル１７Ｒの温度が低くなる。そこで、本実施形態では、パネル１７Ｒの応答速度をパネル１７Ｇ，１７Ｂに合わせるように、パネル１７Ｒの映像信号を補正している。
【００６６】
なお、特許請求の範囲における「温度検出手段」は温度検出ブロック２２に相当し、同じく「補正手段」はメモリブロック２１、補正量制御ブロック２３及び補正回路ブロック２４に相当する。
【００６７】
図４は、図３における演算部を示すブロック図である。以下、図３及び図４に基づき説明する。
【００６８】
演算部２５Ｇ，２５Ｂは、ＶＴ補正回路２５０、相展開回路２５１、ＤＡＣ２５２〜２５７等で構成される。補正演算部２４Ｒは、図２に示した構成のものを用いることができる。本実施形態は、パネル１７Ｒの映像信号のみに対して、温度に基づく補正をする。しかし、パネル１７Ｇとパネル１７Ｂとの温度に大きな差が生ずる場合は、パネル１７Ｒに加えパネル１７Ｇ，１７Ｂのどちらか一方に供給する映像信号に同様の補正をする構成にしてもよい。その際、パネル１７Ｇ，１７Ｂのうち、温度の低い方を選択することが望ましい。
【００６９】
次に、駆動装置２０の動作について説明する。ただし、動作の大半は第一実施形態と同様であるので、異なる部分である演算ブロック２５の動作についてのみ説明する。ＶＴ補正回路２５０は、現フレームの映像信号に対しＶＴ補正を行う。続いて、相展開回路２５１は、ＶＴ補正された映像信号に対して、液晶パネル１７へ出力するアナログ信号の数だけ相展開する。最後に、ＤＡＣ回路２５２〜２５７は、相展開されたディジタル信号をアナログ信号に変換して液晶パネル１７へ供給する。
【００７０】
図５は、本発明に係る駆動装置の第三実施形態を示すブロック図である。以下、この図面に基づき説明する。ただし、図１と同じ部分は同じ符号を付すことにより説明を省略する。
【００７１】
本実施形態の駆動装置３０は、周波数変換ブロック３１、メモリブロック１１、温度検出ブロック１２、補正量制御ブロック１３、補正回路ブロック１４、パネル制御ブロック１５等から構成される電子回路であり、三板式液晶プロジェクタに用いられる。周波数変換ブロック３１は、信号源１６から供給されるＲ、Ｇ、Ｂ各色の映像信号を、少なくとも２倍以上のフレーム周波数に変換する。メモリブロック１１は、周波数変換ブロック３１から出力されるＲ，Ｇ，Ｂ各色の映像信号を、少なくとも一フレーム期間保持する。温度検出ブロック１２は、液晶パネル１７の温度又はその周辺の温度を検出する。補正量制御ブロック１３は、映像信号に施す補正量を制御する。補正回路ブロック１４は、メモリブロック１１に保持された前フレームの映像信号と、現フレームの映像信号と、補正量制御ブロック１３からの入力値（補正量）とに基づき、液晶パネル１７に供給する映像信号に補正演算を施す。パネル制御ブロック１５は、液晶パネル１７を制御する。
【００７２】
Ｒ，Ｇ，Ｂ各色の映像信号に対応して、周波数変換ブロック３１はフレームメモリ３１Ｒ，３１Ｇ，３１Ｂからなり、メモリブロック１１はフレームメモリ１１Ｒ，１１Ｇ，１１Ｂからなり、補正回路ブロック１４は補正演算部１４Ｒ，１４Ｇ，１４Ｂからなり、液晶パネル１７はパネル１７Ｒ，１７Ｇ，１７Ｂからなる。
【００７３】
補正回路ブロック１４内の構成は、図２に示したものと同一である。周波数変換ブロック３１は、Ｒ，Ｇ，Ｂ各色の映像信号に対して少なくとも二画面分の映像信号を保持できるフレームメモリ３１Ｒ，３１Ｇ，３１Ｂを設けることにより実現できる。
【００７４】
次に、駆動装置３０の動作について説明する。外部から供給される映像信号は周波数変換ブロック３１において、入力された映像信号のフレーム周波数の少なくとも二倍のフレーム周波数に変換され出力される。この周波数変換は、Ｒ，Ｇ，Ｂ各信号に対し少なくとも二画面分の映像信号を保持できるフレームメモリ３１Ｒ，３１Ｇ，３１Ｂをそれぞれ２つのバンクに分け、一方のバンクに外部から入力された映像信号を書き込むと同時に、他方のバンクに保持されている映像信号を、外部から入力された映像信号の同期周波数の２倍以上の速度で読み出すことにより実現できる。それ以降の処理は、第一実施形態の動作とほぼ同様である。
【００７５】
なお、特許請求の範囲における「温度検出手段」は温度検出ブロック１２に相当し、同じく「補正手段」はメモリブロック２１、補正量制御ブロック２３及び補正回路ブロック２４に相当し、同じく「複数回書き込み手段」は周波数変換ブロック３１、メモリブロック２１及び補正回路ブロック２４に相当する。
【実施例１】
【００７６】
次に、本発明の実施形態を更に具体化した実施例について、図面を用いながら説明する。
【００７７】
図６は、図１の駆動装置を用いた液晶プロジェクタの一例を示す構成図である。以下、図１及び図６に基づき説明する。ただし、図１と同じ部分は同じ符号を付すことにより説明を省略する。
【００７８】
液晶プロジェクタ４０は、駆動装置１０、温度センサ１２Ｒ，１２Ｇ，１２Ｂ、液晶のパネル１７Ｒ，１７Ｇ，１７Ｂ、光源ランプ４１、色分離ミラー４２，４３、ミラー４４〜４６、合成プリズム４７、投射レンズ４８、冷却用ファン４９等を備えている。図１中の温度検出ブロック１２に、温度センサ１２Ｒ，１２Ｇ，１２Ｂが付設されている。温度センサ１２Ｒ，１２Ｇ，１２Ｂは、それぞれ液晶パネル１７Ｒ，１７Ｇ，１７Ｂに取り付けられている。
【００７９】
光源ランプ４１から出射された光は、色分離ミラー４２，４３によってＲ，Ｇ，Ｂそれぞれの波長域の光に分離され、それぞれＲ用、Ｇ用、Ｂ用のパネル１７Ｒ，１７Ｇ，１７Ｂに照射される。また、図示しないが、パネル１７Ｒ，１７Ｇ，１７Ｂの前後には、偏光板が配置されている。それぞれのパネル１７Ｒ，１７Ｇ，１７Ｂを透過した光は、合成プリズム４７によってカラー画像に合成され、投射レンズ４８を通してスクリーン（図示せず）に出射される。
【００８０】
合成プリズム４７の下方には、パネル１７Ｒ，１７Ｇ，１７Ｂ及び偏光板を冷却するための冷却用ファン４９が設けられている。また、各パネルパネル１７Ｒ，１７Ｇ，１７Ｂの近傍には温度センサ１２Ｒ，１２Ｇ，１２Ｂが設けられている。駆動装置１０は図１に示した各回路ブロックで構成されており、温度センサ１２Ｒ，１２Ｇ，１２Ｂの出力信号は温度検出ブロック１２に入力される。本実施例では、パネル１７Ｒ，１７Ｇ，１７Ｂのそれぞれに、その近傍の温度を検出する温度センサ１２Ｒ，１２Ｇ，１２Ｂを配置している。しかし、この温度センサは、三枚のパネルのどれか一つ若しくは二つに配置してもよく、又は液晶プロジェクタ４０内のどこか一箇所以上に配置してもよい。その場合、その温度センサの出力信号と各パネルの温度との関係を予め実測しておき、その関係をデータとして補正量制御ブロック１３に保持しておく。
【００８１】
なお、特許請求の範囲における「光学系」は、光源ランプ４１、色分離ミラー４２，４３、ミラー４４〜４６、合成プリズム４７及び投射レンズ４８に相当する。
【００８２】
図７は、図２のオーバードライブ補正回路の第一例を示す構成図である。以下、図１、図２及び図７に基づき説明する。
【００８３】
オーバードライブ補正回路１４２で用いられるＬＵＴは、横軸を現フレームに表示すべき映像信号とし、縦軸を前フレームに表示した映像信号としたマトリクス状のテーブルからなり、それぞれの交点に実際にパネル１７Ｒ，１７Ｇ，１７Ｂに印加する電圧データが保持されている。このテーブルは、パネル１７Ｒ，１７Ｇ，１７Ｂ毎にｎ個ずつ用意されている。本実施例では、補正量制御信号Ａが０から１までの離散的な値を取るものとして、その値毎に異なるテーブルが用意されている。また、その各テーブルは、現フレームの映像信号及び前フレームの映像信号ともに、６４階調のデータである。
【００８４】
このテーブルの作り方について説明する。まず、例えば式（３）に、図１２に示す定常状態における液晶容量と印加電圧との関係を用い、補正量最大となるテーブルを作成する。続いて、それ以外の補正量に対応するテーブルは、補正前の映像信号と補正量最大となる映像信号との差分に補正係数を掛け、その値を補正前のデータに加算することにより求める。また、実験的に補正量を変化させながら応答速度を測定して作成してもよい。補正量制御ブロック１３は、例えばパネル１７Ｒ，１７Ｇ，１７Ｂの温度毎の補正量が記述されたテーブルで構成することができる。このテーブルは、パネル１７Ｒ，１７Ｇ，１７Ｂの温度を実際に測定し、その時のパネル１７Ｒ，１７Ｇ，１７Ｂの応答速度を測定することにより作製できる。
【００８５】
次に、動作について説明する。まず、温度検出ブロック１２でパネル１７Ｒ，１７Ｇ，１７Ｂの温度を定期的に検出する。その検出結果に基づき補正量制御ブロック１３で、各パネル１７Ｒ，１７Ｇ，１７Ｂの映像信号に施される補正量が決定される。一方、信号源１６から供給される現フレームで表示すべき映像信号は、補正回路ブロック１４及びメモリブロック１１へ供給される。メモリブロック１１では、現フレームでの映像信号をフレームメモリ１１Ｒ，１１Ｇ，１１Ｂに書き込む前に、前フレームの映像信号をフレームメモリ１１Ｒ，１１Ｇ，１１Ｂから読み出し補正回路ブロック１４へ供給する。補正回路ブロック１４では、現フレームの映像信号と前フレームの映像信号とがそれぞれＶＴ補正され、その信号と補正量制御信号とがオーバードライブ補正回路１４２へ供給される。オーバードライブ補正回路１４２では、補正量制御信号に応じてＬＵＴのあるテーブルが選択され、そのテーブルを用い実際に液晶パネル１７に印加する電圧が決定される。その後、相展開及びＤＡＣが行われ、液晶パネル１７に供給される。
【００８６】
この駆動方法により、パネル１７Ｒ，１７Ｇ，１７Ｂに温度差が生じた場合でも、それぞれのパネル１７Ｒ，１７Ｇ，１７Ｂに異なるオーバードライブ補正を行うため、液晶分子の応答速度に差が生じず、動画表示時の「尾引き」問題が発生しない。また、本実施例の構成では、補正演算をＬＵＴで行うため、高速に動作させることができ、高解像度液晶パネルにも容易に適用できる。
【実施例２】
【００８７】
図８は、図２におけるオーバードライブ補正回路の第二例を示す構成図である。以下、図１、図２及び図８に基づき説明する。
【００８８】
本実施例では、補正に用いるＬＵＴを各パネル１７Ｒ，１７Ｇ，１７Ｂに一つしか設けない。その代わり、ＬＵＴの出力に補正量制御信号Ａを乗算し、その値に現フレームでの映像信号を加算させる回路を設けている。このＬＵＴは、例えば式（３）によって算出される補正後の信号と、補正を行わない場合の信号との差分信号ｄＶを記録することで、前述の方法により補正処理が実現できる。ＬＵＴに記録する値として、式（４）に示す式を用いると、先に示した演算結果Ｖ１’は、式（５）に示す値となり、結果として補正量制御信号Ａが１の場合に補正量最大となり、Ａが０の場合に補正を行わない結果となる。
【００８９】
ｄＶ＝｛（Ｃｌｃ(V1)＋Ｃｓｔ）／（Ｃｌｃ(V0)＋Ｃｓｔ）−１｝Ｖ１  ・・・（４）
Ｖ１’＝Ａ｛（Ｃｌｃ(V1)＋Ｃｓｔ）／（Ｃｌｃ(V0)＋Ｃｓｔ）−１｝Ｖ１＋Ｖ１  ・・・（５）
この駆動方法により、パネル１７Ｒ，１７Ｇ，１７Ｂに温度差が生じた場合でも、それぞれのパネル１７Ｒ，１７Ｇ，１７Ｂに異なるオーバードライブ補正を行うため、液晶分子の応答速度に差が生じず、動画表示時の「尾引き」問題が発生しない。またこの方法によれば、ＬＵＴに必要な記録容量を少なくすることができるため、回路規模を小さくすることができ、更に補正量制御を細かくとることができ、精度良く応答速度の制御が実現できる。
【実施例３】
【００９０】
図９［１］は、図５の駆動装置における動作の第一例を示すフローチャートである。以下、図５及び図９［１］に基づき説明する。
【００９１】
本実施例が用いられる液晶プロジェクタは実施例１で示した構成と同一であり、駆動装置３０の構成は図５に示すとおりでよい。本実施例では、信号源１６から一画面分の映像信号が送られてくる一フレーム期間に、液晶パネル１７を二回表示させる例を示している。まず、信号源１６からの映像信号が更新された場合（ステップ１０１）、その更新された映像信号を現フレームの映像信号とし、その前に信号源１６から供給された映像信号を前フレームの映像信号として、実施例１又は実施例２で示した方法で補正を行い（ステップ１０２）、一回目の表示動作を行う（ステップ１０３）。二回目の表示動作では、前フレームの映像信号の代わりに現フレームの映像信号を補正回路ブロック１４に供給することで、結果として補正処理を行わずに表示動作を行う（ステップ１０４，１０５）。
【００９２】
この駆動方法では、単位時間内で液晶画素に電荷を供給する回数が増えるため、液晶分子の配列変化に対する電圧変動をより小さくすることができ、応答速度の改善効果を高くすることができる。
【実施例４】
【００９３】
図９［２］は、図５の駆動装置における動作の第二例を示すフローチャートである。以下、図５及び図９［２］に基づき説明する。
【００９４】
本実施例では、信号源１６から一画面分の映像信号が送られてくる一フレーム期間に、液晶パネル１７を二回表示させる例を示している。まず、信号源１６からの映像信号が更新された場合（ステップ２０１）、その更新された映像信号を現フレームの映像信号とし、その前に信号源１６から供給された映像信号を前フレームの映像信号として、実施例１又は実施例２で示した方法で補正を行い（ステップ２０２）、一回目の表示動作を行う（ステップ２０３）。二回目の表示動作でも、前フレームの映像信号と、現フレームでの映像信号とで補正処理を行うが、一回目の補正量とは異なる量の補正を行う（ステップ２０４，２０５）。この補正は、二回目の補正処理用に別途ＬＵＴを設けることで簡単に実現できる。
【００９５】
この駆動方法では、単位時間内で液晶画素に電荷を供給する回数が増えるため、液晶分子の配列変化に対する電圧変動をより小さくすることができ、応答速度の改善効果を高くすることができる。この効果の他に、一回目に式（３）で示した補正量よりも大きな補正を施し、液晶画素の電圧変化をより大きくし、二回目でそれを収束させる補正を付け加えることで、より応答速度を高めることができる。その理由は、液晶分子の応答速度は電圧が大きいほど速くなるからである。
【図面の簡単な説明】
【００９６】
【図１】本発明に係る駆動装置の第一実施形態を示すブロック図である。
【図２】図１における補正演算部を示すブロック図である。
【図３】本発明に係る駆動装置の第二実施形態を示すブロック図である。
【図４】図３における演算部を示すブロック図である。
【図５】本発明に係る駆動装置の第三実施形態を示すブロック図である。
【図６】図１の駆動装置を用いた液晶プロジェクタの一例を示す構成図である。
【図７】図２におけるオーバードライブ補正回路の第一例を示す構成図である。
【図８】図２におけるオーバードライブ補正回路の第二例を示す構成図である。
【図９】図５の駆動装置の動作を示すフローチャートであり、図９［１］は第一例、図９［２］は第二例である。
【図１０】従来の液晶プロジェクタを示す構成図である。
【図１１】液晶プロジェクタに用いられる液晶パネルを示す構成図である。
【図１２】液晶パネルにおける印加電圧と液晶容量との関係の一例を示すグラフである。
【符号の説明】
【００９７】
１０，２０，３０  駆動装置
１１，２１  メモリブロック（補正手段、複数回書き込み手段）
１１Ｒ，１１Ｇ，１１Ｂ，２１Ｒ，３１Ｒ，３１Ｇ，３１Ｂ  フレームメモリ
１２，２２  温度検出ブロック（温度検出手段）
１２Ｒ，１２Ｇ，１２Ｂ  温度センサ（温度検出手段）
１３，２３  補正量制御ブロック（補正手段）
１４，２４  補正回路ブロック（補正手段、複数回書き込み手段）
１４２  オーバードライブ補正回路
１４Ｒ，１４Ｇ，１４Ｂ，２４Ｒ  補正演算部
１６  信号源
１７  液晶パネル
１７Ｒ，１７Ｇ，１７Ｂ  パネル（液晶パネル）
２５  演算ブロック
２５Ｇ，２５Ｂ  演算部
３１  周波数変換ブロック（複数回書き込み手段）
４０  液晶プロジェクタ（液晶表示装置）
Ｖ０  前フレームの映像信号
Ｖ１  現フレームの映像信号
Ａ  補正量制御信号（補正量制御値）
【図１】
2005234104.tif 000003
【図２】
2005234104.tif 000004
【図３】
2005234104.tif 000005
【図４】
2005234104.tif 000006
【図５】
2005234104.tif 000007
【図６】
2005234104.tif 000008
【図７】
2005234104.tif 000009
【図８】
2005234104.tif 000010
【図９】
2005234104.tif 000011
【図１０】
2005234104.tif 000012
【図１１】
2005234104.tif 000013
【図１２】
2005234104.tif 000014